(57)【特許請求の範囲】
【請求項１】
床板部材が複数個並列してなる床板をフレーム上に載置したベッドであって、二本のアームをそれぞれの一端が互いに揺動自在にピン止めされたヒンジを用い、それぞれのアームを互いに隣接するフレームと連結して互いに隣接する床板部材間をヒンジを介して任意の間隔にあけて連結したベッドの床板長の調節機構において、互いに隣接するフレームにそれぞれ複数個のボルト穴を所望の間隔で穿設し、また、二本のアームにもそれぞれ複数個のボルト穴を穿設し、フレームの任意の穴とアームの任意の穴を合わせてボルト締めすることによりフレームおよびアームを任意の間隔をあけて連結してなり、これにより床板長を自由に調節するとともに、ベッドの全体の床板長のみならず、部分的な床板長を調節して大腿、下腿の浮きや圧迫を少なくすることを特徴とするベッドの床板長の調節機構。
【発明の詳細な説明】
【０００１】
【発明の属する技術分野】
本発明は標準体長からはずれた要介護者等の体長に合わせて最適な姿勢を維持し得るように調節することができるベッドの床板長の調節機構に係り、特に、ベッドの全体の床板長のみならず、部分的な床板長の調節、例えば大腿を支える床板部材の長さを調節して大腿、下腿の浮きや圧迫を少なくするベッドの床板長の調節機構に関する。
【０００２】
【従来の技術】
近年、介護制度の施行に伴い、介護を要する者、あるいは随時介護を要する者等、多くの人々が介護用ベッドを利用する機会が多くなった。
【０００３】
しかし、利用する要介護者の身体の大きさは多様であり、特に体長については大きな差異がある。したがって、標準寸法の介護者ベッドではそれに合った標準体長の者しか最適な姿勢を維持することができず、標準体長をはずれた要介護者、特に標準体長よりも大きな要介護者にとっては快適な姿勢を維持することができない。
【０００４】
ベッドのフレームや床板等の長さを調節し得るベッドは従来存在せず、したがって、従来では、ベッドを大きめにつくるか、あるいは利用者の体長に合わせてベッドを用意する等の手段をとらざるを得なかった。
【０００５】
【発明が解決すべき課題】
そこで、本発明の目的は標準体長からはずれた要介護者等の体長に合わせて最適な姿勢を維持し得るように調節することができ、特に、ベッドの全体の床板長のみならず、部分的な床板長の調節、例えば、大腿を支える床板部材の長さを調節して大腿、下腿の浮きや圧迫を少なくし得、上述の公知技術に存する欠点を改良したベッドの床板長の調節機構を提供することにある。
【０００６】
【課題を解決するための手段】
上述の目的を達成するため、本発明によれば、床板部材が複数個並列してなる床板をフレーム上に載置したベッドにおいて、二本のアームのそれぞれの一端が互いに揺動自在にピン止めされたヒンジを用い、それぞれのアームを互いに隣接するフレームと連結して互いに隣接する床板部材間をヒンジを介して任意の間隔にあけて連結し、床板長を自由に調節するようにしたことを特徴とする。
【０００７】
【発明の実施の態様】
以下、本発明を添付図面を用いて詳述する。
【０００８】
図１は本発明にかかるベッドの床板長の調節機構の使用状態を表した平面図である。図２は本発明にかかる調節機構をベッドから外した状態の平面図である。図３は本発明にかかる調節機構をベッドに装着した状態の平面図である。図４はベッドの床板長の長さ調整を行ったときの側面図であって、（ａ）は床板部材間を広い幅に開けて床板長を長く調節したときの側面図、（ｂ）は中間幅に開けて床板長を中間長に調節したときの側面図、（ｃ）は狭い幅にして床板長を短く調節したときの側面図である。図５はベッドの床板部材間を変則的に開けて床板長を長く調節したときの側面図であって、（ａ）は左側のみを拡げて床板長を長く調節したときの側面図であり、（ｂ）は右側のみを拡げて床板長を長く調節したときの側面図である。図６は本発明にかかる他のベッドの具体例を表した斜視図である。
【０００９】
図１において、Ａはベッドであって、床板部材１、１・・・１を対向するフレーム３、３間に複数個並列して嵌め込み床板２を形成する。この床板２をベッドの横方向のフレーム３ａ上に載置してベッドＡを構成する。
【００１０】
図１〜図５において、４はヒンジであって、これは二本のアーム５、５のそれぞれの一端を互いに揺動自在にピン６で止めることにより形成される。得られた揺動自在なアーム５、５はそれぞれ互いに隣接するフレーム３、３と任意な個所で連結され、これにより互いに隣接する床板部材１、１間をヒンジ４を介して任意の間隔にあけて連結する。
【００１１】
互いに隣接するフレーム３、３にはそれぞれ複数個のボルト穴７、７・・・７、本図面では３個のボルト穴７、７、７が所望の間隔をあけて穿設される。さらに、二本のアーム５、５にはそれぞれ少なくとも１個のボルト穴８、８、本図面ではそれぞれ１個のボルト穴８が穿設される。
【００１２】
そして、フレーム３の任意の穴７、７、７と、アーム５の穴８とを合わせてボルト９を通し、ボルト締めすることによりフレーム３およびアーム５は任意の間隔にあけて連結される。ボルト９としてはちょうボルト、ノップボルト等が用いられる。
【００１３】
例えば、図１および図３に示されるように、フレーム３の中間に位置するボルド穴７と、アーム５のボルト穴８をボルト９により締めつければ、中間の長さで床板２が伸長される。
【００１４】
この伸長幅を明確に示したのが図４（ａ）、（ｂ）、（ｃ）である。図４（ａ）はフレーム３の先端側のボルト穴７とアーム５の穴８を合わせ、ボルト９で締めつけることにより、床板部材１、１間の幅を大きくとり、床板２を長く伸長した例である。図４（ｂ）はフレーム３の中間に位置するボルト穴７とアーム５の穴８を合わせ、ボルト９で締めつけることにより、床板部材１、１間を中間幅とし、床板２を中間程度に伸長した例である。さらに、図４（ｃ）はフレーム３の奥に位置するボルト穴７とアーム５の穴８を合わせ、ボルト９で締めつけることにより、床板部材１、１間を短くし、床板２を短くした例である。
【００１５】
さらに、図５（ａ）に示されるように、左側のアーム３では先端側のボルト７とアーム５を合わせ、右側のアーム３では奥に位置するボルト７とアーム５を合わせ、上述と同様にしてボルト９で締めつけることにより、床板２を左側方向に伸ばすことができる。図５（ｂ）はこれと反対に右側方向に伸ばした例である。これらはベッド使用者の体長によって自由に選択される。
【００１６】
図６は本発明にかかる他の形式のベッドであって、床板部材１はフレーム３上に載置して構成される。この場合、対向するフレーム３、３間の幅は床板部材１よりも狭く、したがって、フレーム３ａの長さはフレーム３、３間の幅よりも長くなる。ヒンジ４の取りつけは図１と同じである。
【００１７】
【発明の効果】
以上のとおり、本発明にかかるベッドの床板長の調節機構は標準体長をはずれた要介護者等の体長に合わせて最適な姿勢を維持し得るように調節することができ、特に、ベッドの全体の床板長のみならず、部分的な床板長の調節、例えば、大腿を支える床板部材の長さを調節して大腿、下腿の浮きや圧迫を少なくすることができる。
【図面の簡単な説明】
【図１】本発明にかかるベッドの床板長の調節機構の使用状態を表した平面図である。
【図２】本発明にかかる調節機構をベッドから外した状態の平面図である。
【図３】本発明にかかる調節機構をベッドに装着した状態の平面図である。
【図４】ベッドの床板長の長さ調整を行ったときの側面図であって、（ａ）は床板部材間を広い幅に開けて床板長を長く調節したときの側面図、（ｂ）は中間幅に開けて床板長を中間長に調節したときの側面図、（ｃ）は狭い幅にして床板長を短く調節したときの側面図である。
【図５】ベッドの床板部材間を変則的に開けて床板長を長く調節したときの側面図であって、（ａ）は左側のみを拡げて床板長を長く調節したときの側面図であり、（ｂ）は右側のみを拡げて床板長を長く調節したときの側面図である。
【図６】他の形式のベッドを表した斜視図である。
【符号の説明】
Ａ  ベッド
１  床板部材
２  床板
３  フレーム
３ａ  フレーム
４  ヒンジ
５  アーム
６  ピン
７  ボルト穴
８  ボルト穴
９  ボルト
【図１】
0004698794.tif 000002
【図２】
0004698794.tif 000003
【図３】
0004698794.tif 000004
【図４】
0004698794.tif 000005
【図５】
0004698794.tif 000006
【図６】
0004698794.tif 000007